(57)【特許請求の範囲】
【請求項１】
自動車の車体後部開口を開閉するテールゲート用ストライカーを車体に装着するためのブラケットの取付け構造であって、
前記車体後部開口が、インナーパネルとアウターパネルとを互いに対向させるとともに両パネルの各周縁フランジ部同士を互いに接合することにより閉断面を呈する骨格構造にて構成しており、且つ、前記車体後部開口の下方側辺部における前記インナーパネル及び前記アウターパネルが形成する閉断面内において前記インナーパネルに対向するように補強パネルを配設し、該補強パネルの端部フランジ部を前記両周縁フランジ部の間に介在させた状態で該両周縁フランジ部と共に接合していると共に前記補強パネルの他側フランジ部が前記インナーパネル側に接合されており、加えて、前記補強パネルにおける前記インナーパネル側を前記アウターパネル側に向かって凹状に形成することによりブラケット収容凹部を形成し、該ブラケット収容凹部の底部に複数個の位置決め係合片を互いに離間するように突出形成し、これら位置決め係合片が囲繞する領域によって前記ブラケット収容凹部の前記底部の一部にブラケット配設部位を区画形成しており、該ブラケット配設部位に前記ブラケットを収容することによって、前記インナーパネルと前記補強パネルとの間に前記ブラケットを配設構成しており、該ブラケットが、前記位置決め係合片に係合することによって、前記インナーパネルおよび前記補強パネル間において脱落防止状態で保持されていることを特徴とする自動車のテールゲート用ストライカーを装着するためのブラケットの取付け構造。
【請求項２】
前記ブラケット配設部位を構成する複数の位置決め係合片が、前記補強パネルの前記底部の一部を突出させて形成した切り起こし突起により構成されていることを特徴とする請求項１に記載の自動車のテールゲート用ストライカーを装着するためのブラケットの取付け構造。
【請求項３】
前記ブラケット配設部位を構成する複数の位置決め係合片が、前記補強パネルの前記底部の一部を突出させて形成した係合ビート部により構成されていることを特徴とする請求項１に記載の自動車のテールゲート用ストライカーを装着するためのブラケットの取付け構造。
【発明の詳細な説明】
【技術分野】
【０００１】
この発明は、自動車の車体後部開口を開閉するテールゲート用ロック装置を構成するロック片に噛合するストライカーを車体に装着するためのブラケットの取付け構造に関する。
【背景技術】
【０００２】
一般に図１に示すように、ステーションワゴン或いはライトバンなどの自動車Ｊは、車体後部開口１を有し、かかる車体後部開口１をテールゲート２により開閉するように構成している。従って、かかるテールゲート２は、車体後部開口１に対して、上端側をヒンジ結合することにより回動開閉可能に装着されている。
【０００３】
加えて、テールゲート２は、従来においては、図６に示すように、車体後部開口１の閉成状態を保持すべく、ロック装置７が装備されている。かかるロック装置７は、ロック片８を有して構成するロック本体７ａがテールゲート２の下端辺部側に設置されているとともに、車体後部開口１の下方側辺部１ａ側には、ロック片８が噛合してテールゲート２の閉成状態を保持するストライカー９が装着されている（特許文献１および２を参照）。
【０００４】
そして、車体後部開口１は、インナーパネル３とアウターパネル４とを互いに対向させるとともに両パネル３、４の各周縁フランジ部３ａ、４ａ同士を互いに接合することにより閉断面５を呈する骨格構造になっており、且つ、車体後部開口１の下方側辺部１ａにおけるインナーパネル３及びアウターパネル４が形成する閉断面５内において、インナーパネル３に添設重合するように補強パネル６が配設されて構成されている。さらに、補強パネル６の一側端フランジ部６ａは、両周縁フランジ部３ａ、４ａの間に介在させた状態で両周縁フランジ部３ａ、４ａと共に接合されていると共に、他端側フランジ部６ｂは、インナーパネル３側に接合されている。
【０００５】
このように構成する車体後部開口１における下方側辺部１ａ側には、ストライカー９が設置され、ストライカー９は、テールゲート２側に装着されたロック装置７を構成するロック本体７ａのロック片８が係合するように構成されていることになる。かかるストライカー９は、略コ字状を呈するアーチ形に形成され、その両側脚片９ａが、車体後部開口１の下方側辺部１ａに設置されている。
【０００６】
そして、このようにストライカー９を車体後部開口１の下方側辺部１ａに設置するには、ストライカー９を取付けるためのブラケット（タッピングプレートとも呼ばれている）１０が、下方側辺部１ａに設置されている。かかるストライカーを取付けるためのブラケット１０は、図６と共に図７及び図８に示すように、ストライカー９の両脚片９ａに形成したネジ部をナットに螺合することによって取付けるようにすることから、両端部にそれぞれ貫通孔１０ａを設けている。また、ストライカー９は、その中央両側部が括れ部１０ｂに形成されていて、閉断面５内においてプレス成形品である板状取付け片１１を補強パネル６に溶接などにより装着することで、下方側辺部１ａに装着されている。
【０００７】
従って、板状取付け片１１は、その略中央部に凹状段差部１１ａが形成されて、凹状段差部１１ａをブラケットの括れ部１０ｂに嵌合した状態で、補強パネル６に溶接されて、ブラケット１０を車体後部開口１の下方側辺部１ａにおいて抱着し、ブラケット１０が括れ部１０ｂの両端幅広部１０ｃに引っ掛かって下方側辺部１ａから脱落しないようにしている。
【０００８】
そして、ブラケット１０は、車体後部開口１にテールゲート２を設置する車体組立工程前における車体後部開口１の骨格構造組み立て時において、予め、板状取付け片１１をインナーパネル３に溶接することにより、車体後部開口１にサブアセンブリーされ、前記車体組立工程へと運搬導入されることになり、板状取付け片１１の弾性変形によりストライカー９の取付け位置を微調整可能として、車体後部開口１側に取付けられ、ストライカー９とテールゲート２側に装着されたロック片８との噛合具合を調整可能にしている。
【先行技術文献】
【特許文献】
【０００９】
【特許文献１】特開２００８−１９０２４３号公報
【特許文献２】特開２０１１‐１９０２４３号公報
【発明の開示】
【発明が解決しようとする課題】
【００１０】
上記したように構成する自動車のテールゲート用ストライカーを車体後部開口１に装着することから、ストライカー９を車体後部開口１の下方側辺部１ａに装着するブラケット１０を必要としているのであるが、さらに、ブラケット１０は、車体組立工程前における車体後部開口１の骨格構造組み立て時に、板状取付け片１１を用いて、車体後部開口１にサブアセンブリーしておかねばならない。
【００１１】
かかることから、ブラケット１０は、車体後部開口１の下方側辺部１ａの閉断面５内において取付けるために、プレス成形した別部品である板状取付け片１１を要することになって、その分製品コストをアップすることになると共に、板状取付け片１１を下方側辺部１ａにスポット溶接によって溶接する等の作業が加算されることになって、作業工数のアップも伴うことになる。
【００１２】
さらには、板状取付け片１１によってブラケット１０がストライカー９の装着前の車体後部開口１の骨格構造組み立て工程等において、下方側辺部１ａからの脱落を防止するには、ブラケット１０は、単なる短冊状のプレート片で構成するのではなく、略中央部に括れ部１０ｂを有するように構成する必要がある。このことから、ブラケット１０をプレス成形などするには、本来の成形金型に加えて、括れ部１０ｂを成形するための打ち抜き金型等が必要となって、この点からの製品コスト上昇の起因となっていた。
【００１３】
加えて、ブラケット１０を車体後部開口１の下方側辺部１ａに装着するには、ブラケット１０に板状取付け片１１を宛がった状態を維持しつつ、板状取付け片１１の溶接作業などを行う必要があることから、かかる溶接作業などを行うに当たっては、ブラケット１０に板状取付け片１１を嵌合した状態を保持するための治具が必要となって、この点からも、製品コスト或いは作業工数の増加を来たしてしまう。
【００１４】
そこで、この発明は、従来必要であった板状取付け片等を用いずにストライカーを装着するためのブラケットを装着可能とすると共に、ブラケットに括れ部等を形成することなく車体後部開口からの脱落を防止して、ブラケットの形状を単純化することにより、製品コストや組立工数の軽減を図った自動車のテールゲート用ストライカーを装着するためのブラケットの取付け構造を提供することを目的としている。
【課題を解決するための手段】
【００１５】
この発明にかかる自動車のテールゲート用ストライカーを装着するためのブラケットの取付け構造は、車体後部開口を開閉するテールゲート用ストライカーを車体に装着するためのブラケットの取付け構造であって、
前記車体後部開口が、インナーパネルとアウターパネルとを互いに対向させるとともに両パネルの各周縁フランジ部同士を互いに接合することにより閉断面を呈する骨格構造にて構成しており、且つ、前記車体後部開口の下方側辺部における前記インナーパネル及び前記アウターパネルが形成する閉断面内において前記インナーパネルに対向するように補強パネルを配設し、該補強パネルの端部フランジ部を前記両周縁フランジ部の間に介在させた状態で該両周縁フランジ部と共に接合していると共に前記補強パネルの他側フランジ部が前記インナーパネル側に接合されており、加えて、前記補強パネルにおける前記インナーパネル側を前記アウターパネル側に向かって凹状に形成することによりブラケット収容凹部を形成し、該ブラケット収容凹部の底部に複数個の位置決め係合片を互いに離間するように突出形成し、これら位置決め係合片が囲繞する領域によって前記ブラケット収容凹部の前記底部の一部にブラケット配設部位を区画形成しており、該ブラケット配設部位に前記ブラケットを収容することによって、前記インナーパネルと前記補強パネルとの間に前記ブラケットを配設構成しており、該ブラケットが、前記位置決め係合片に係合することによって、前記インナーパネルおよび前記補強パネル間において脱落防止状態で保持されていることを特徴とする。
【００１６】
かかる構成を有するこの発明は、ストライカーを車体後部開口に取付けるためのブラケットが、補強パネル側に形成したブラケット収容凹部内に収容し、ブラケット収容凹部の底部に形成した複数の位置決め係合片により囲繞係合された状態で、インナーパネルと補強パネルとの間において挟合され、脱落防止状態で車体後部開口にサブアセンブリーすることができることになる。
【００１７】
かかる結果、この発明に係るストライカーを車体後部開口に取付けるためのブラケットは、従来の板状取付け片等を用いる必要が無くなりしかも板状取付け片の溶接作業に当たって、両者の組み付け状態を保持するための治具なども必要としないことから、製品コストの低減効果が期待できる。
【００１８】
加えて、この発明に係るストライカーを車体後部開口に取付けるためのブラケットは、従来のような脱落防止のための括れ部等を形成する必要がないことから、それ自体の製品形状を単に例えば短冊形等の単純形状に形成すればよくなって、従来の括れ部を形成するために必要な打ち抜き金型を用いる必要が無く、かかる面からの製品コストの低減も期待できる。
【００１９】
しかも、この発明に係るストライカーを車体後部開口に取付けるためのブラケットは、ブラケット収容凹部の底部において複数の位置決め係合片に囲まれて形成されたブラケット配設位置に配置した後、インナーパネルとアウターパネルとを補強パネルと共に接合することによって、結果的に、インナーパネルと補強パネルとの間で挟合されることになって、従来の板状取付け片を補強パネルに溶接するための治具などを必要としておらず、この面からも、製品コスト或いは作業工数を低減することができる。
【００２０】
また、この発明は、上記発明の実施の形態として、ブラケット配設部位を構成する複数の位置決め係合片を、補強パネルの底部の一部を突出させて形成した切り起こし突起、或いは、補強パネルの底部の一部を突出させて形成した係合ビート部により構成している。
【００２１】
かかる構成を有する実施の形態においては、位置決め係合片を構成する切り起こし突起や係合ビード部をブラケットに形成したとしても、当該ブラケットの成形金型をさほど複雑化させることないことから、製品コストなどに大きな影響を及ぼすことが無い。
【発明の効果】
【００２２】
この発明は、ストライカーを車体後部開口に取付けるためのブラケットが、補強パネル側に形成したブラケット収容凹部内に収容し、ブラケット収容凹部の底部に形成した複数の係合片により囲繞係合された状態で、インナーパネルと補強パネルとの間において挟合され、脱落防止状態で車体後部開口にサブアセンブリーすることができることになる。
【００２３】
かかる結果、この発明に係るストライカーを車体後部開口に取付けるためのブラケットは、従来の板状取付け片等を用いる必要が無くなりしかも板状取付け片の溶接作業に当たって、両者の組み付け状態を保持するための治具なども必要ないことから、製品コストの低減効果が期待できる。
【００２４】
加えて、この発明に係るストライカーを車体後部開口に取付けるためのブラケットは、従来のような脱落防止のための括れ部等を形成する必要がないことから、それ自体の製品形状を単に例えば短冊形等の単純形状に形成すればよくなって、従来の括れ部を形成するための打ち抜き金型を用いる必要が無く、かかる面からの製品コストの低減も期待できる。
【００２５】
しかも、この発明に係るストライカーを車体後部開口に取付けるためのブラケットは、ブラケット収容凹部の底部において複数の位置決め係合片に囲まれて形成されたブラケット配設位置に配置した後、インナーパネルとアウターパネルとを補強パネルと共に接合することによって、結果的に、インナーパネルと補強パネルとの間で挟合されることになって、従来の板状取付け片を補強パネルに溶接するための治具などを必要としておらず、この面からも、製品コスト或いは作業工数を低減することができる。
【図面の簡単な説明】
【００２６】
【図１】ステーションワゴン或いはライトバンなどの一般的な自動車の後部側を描画した斜視図である。
【図２】この発明に係る一の実施例を採用した場合の図１のＡ−Ａ断面図である。
【図３】図２におけるテールゲート用ストライカーを装着するためのブラケットを装着した補強パネルを上部斜め方向から描画した斜視図である。
【図４】図３における要部を拡大して描画した斜視図である。
【図５】この発明に係る他の実施例におけるテールゲート用ストライカーを装着するためのブラケットを装着した状態の補強パネルを描画した縦断面図である。
【図６】従来技術による図１のＡ−Ａ断面図である。
【図７】図６におけるテールゲート用ストライカーを装着するためのブラケットと板状取付け片とを組み付けた状態を描画した斜視図である。
【図８】図６におけるテールゲート用ストライカーを装着するためのブラケットと板状取付け片とを描画した分解斜視図である。
【発明を実施するための形態】
【００２７】
この発明に係る実施例における自動車のテールゲート用ストライカーを装着するためのブラケットの取付け構造は、従来必要であった板状取付け片等を用いずにストライカーを装着するためのブラケットを装着可能とすると共に、ブラケットに括れ部等を形成することなく車体後部開口からの脱落を防止して、ブラケットの形状を単純化することにより、製品コストや組立工数の軽減を図るべく構成している。
【００２８】
次に、図を用いて、この発明を採用した一の実施例に係る自動車のテールゲート用ストライカーを装着するためのブラケットの取付け構造について説明する。なお、従来技術との対比関係を明確にすべく、対応する部位には、同一符号を付して説明する。
【００２９】
ステーションワゴン或いはライドバン等の自動車Ｊは、図１において、車体後部開口１を有し、車体後部開口１をテールゲート２により開閉して、後部荷室Ｊ１への荷物出し入れなどを可能に構成している。
【００３０】
テールゲート２は、従来の技術と同様に、車体後部開口１に対して、上方側辺部１ｂ側をヒンジ結合することにより回動開閉可能に装着されている。また、テールゲート２は、車体後部開口１の閉成状態を保持すべく図２に示すように、ロック装置７が装備されている。かかるロック装置７は、ロック片８を有して構成するロック本体７ａがテールゲート２の下端辺部側に設置されているとともに、車体後部開口１の下方側辺部１ａ側には、ロック片８に噛合してテールゲート２の閉成状態を保持するストライカー９が装着されている。
【００３１】
そして、車体後部開口１は、インナーパネル３とアウターパネル４とを互いに対向させるとともに両パネル３、４の各周縁フランジ部３ａ、４ａ同士を互いに接合することにより閉断面５を呈する骨格構造になっている。且つ、車体後部開口１の下方側辺部１ａにおけるインナーパネル３及びアウターパネル４が形成する閉断面５内において、インナーパネル３に添設重合するように補強パネル６が配設されている。さらに、補強パネル６の一端側フランジ部６ａは、両周縁フランジ部３ａ、４ａの間に介在させた状態で、両周縁フランジ部３ａ、４ａと共に接合されており、補強パネル６の他端側フランジ部６ｂは、インナーパネル３側に接合されている。
【００３２】
このように構成する車体後部開口１における下方側辺部１ａは、ストライカー９が設置され、テールゲート側に装着されたロック片８が噛合するように構成されている。
【００３３】
さらに、この発明に係る一の実施例においては、図２と共に図３及び図４に示すように、ストライカー９を車体後部開口１の下方側辺部１ａに装着すべく、補強パネル６においてインナーパネル３側をアウターパネル４側に向かって凹状に形成することによって、ブラケット収容凹部１２が形成されている。ブラケット収容部１２の底部１２ａには、複数個の位置決め係合片を構成する切り起こし片１２ｂが互いに離間する状態で突出形成されている。したがって、これら切り起こし片１２ｂが囲繞するブラケット収容部１２の底部１２ａの一部の領域には、ブラケット配設部位１２ｃが区画形成されていることになる。ブラケット配設部位１２ｃには、ブラケット１０が位置調整可能に配置されている。かかる状態において、ブラケット１０は、インナーパネル３と補強パネル６との間に挟合した状態において、切り起こし片１２に係合することによって脱落防止された状態で保持されている。この結果、ブラケット１０を取付けてサブアセンブリー状態に構成された車体後部開口１は、テールゲート２を設置する車体組立工程へと運搬導入される際に、ブラケット１０を脱落防止状態となって、テールゲート２が装備されることになる。
【００３４】
このようにブラケット配設部位１２ｃに設置されたブラケット１０には、ストライカー９が装着されることになる。かかることから、ストライカー９は、略コ字状を呈するアーチ形に形成され、その両側９ａが、ブラケット１０を介して、車体後部開口１の下方側辺部１ａに設置されることになる。
【００３５】
そして、このようにストライカー９をブラケット１０を介して車体後部開口１の下方側辺部１ａに設置するには、ブラケット１０は、ストライカー９の両脚片９ａに形成したネジ部をナットに螺合することによって取付けることになる。このことから、ブラケット１０の両端部には、それぞれ貫通孔１０ａが設けられている。
【００３６】
上記のように構成するこの発明に係る一の実施例によれば、ストライカー９を車体後部開口１に取付けるためのブラケット１０が、補強パネル６側に形成したブラケット収容凹部１２のブラケット配設部位１２ｃ内に収容され、ブラケット収容凹部１２の底部１２ａに形成した複数の切り起こし片１２ｂにより囲繞係合された状態で、インナーパネル３と補強パネル６との間において挟合され、脱落防止状態で車体後部開口１にサブアセンブリーすることができることになる。そして、このようにサブアセンブリーされたブラケット１０は、車体後部開口１にテールゲート２を設置する際に、テールゲート２におけるロック装置７のロック片８の取付け位置との関係で、設置位置を微調整可能とし、調整完了後には車体後部開口１の下方側辺部１ａに固定されるようになっている。
【００３７】
かかる結果、ストライカー９を車体後部開口１に取付けるためのブラケット１０は、従来の板状取付け片１１等を用いる必要が無くなり、しかも従来の板状取付け片１１の溶接作業に必要であった治具なども廃止することができることから、製品コストの低減効果が期待できる。
【００３８】
加えて、この発明に係る上記一の実施例におけるストライカー９を車体後部開口１に取付けるためのブラケット１０は、従来のような脱落防止のための括れ部１０ｂ等を形成する必要がないことから、それ自体の製品形状を単に例えば短冊形等の単純形状に形成すればよくなって、従来の括れ部１０ｂを形成するために必要な打ち抜き金型等を用いる必要が無く、かかる面からの製品コストの低減も期待できる。
【００３９】
しかも、この発明に係る上記一の実施例におけるストライカー９を車体後部開口１に取付けるためのブラケット１０は、ブラケット収容凹部１２の底部１２ａにおいて複数の位置決め係合片としての切り起こし片１２ｂに囲まれた形成されたブラケット配設部位１２ｃに配置した後、インナーパネル３とアウターパネル４とを補強パネル６と共に接合することによって、結果的に、インナーパネル３と補強パネル６との間で挟合されることになって、従来の板状取付け片１１を補強パネル６に溶接するための治具などを必要としておらず、この面からも、製品コスト或いは作業工数を低減することができる。
【００４０】
さらに、この発明に係る上記一の実施例における位置決め係合片を構成する切り起こし片１２ｂをブラケット１０に形成したとしても、ブラケット１０の成形金型をさほど複雑化させる必要がないことから、製品コストなどに大きな影響を及ぼすことが無い。
【００４１】
図５は、この発明に係る他の実施例を示しており、上記一の実施例における切り起こし片１２ｂに代えて、補強パネル６におけるブラケット収容凹部１２の底部１２ａの一部を突出させることにより形成した複数個の係合ビード部１２ｄにて構成した点を異にしている。
【００４２】
かかる構成を有する他の実施の形態においては、位置決め係合片を構成する係合ビード部１２ｄをブラケット１０に形成したとしても、当該ブラケットの成形金型をさほど複雑化させることないことから、製品コストなどに大きな影響を及ぼすことが無いばかりでなく、上記一の実施例と同様な効果を奏するものである。
【産業上の利用可能性】
【００４３】
以上説明したこの発明は、従来必要であった板状取付け片等を用いずにストライカーを装着するためのブラケットを装着可能とすると共に、ブラケットに括れ部等を形成することなく車体後部開口からの脱落を防止して、ブラケットの形状を単純化することにより、製品コストや組立工数の軽減を図ることができることから、自動車の車体後部開口を開閉するテールゲート用ロック装置を構成するロック片に噛合するストライカーを車体に装着するためのブラケットの取付け構造等に好適であるといえる。
【符号の説明】
【００４４】
Ｊ    自動車
１    車体後部開口
１ａ  下方側辺部
２    テールゲート
３    インナーパネル
３ａ  周縁フランジ部
４    アウターパネル
４ａ  周縁フランジ部
５    補強パネル
６ａ  一側端フランジ部
７    ロック装置
８    ロック片
１０    ストライカー
１２    ブラケット収容凹部  
１２ａ  底部
１２ｂ  切り起こし片（位置決め係合片）
１２ｃ  ブラケット配設部位
１２ｄ  係合ビート部（位置決め係合片）
【図１】
0005917959.tif 000002
【図２】
0005917959.tif 000003
【図３】
0005917959.tif 000004
【図４】
0005917959.tif 000005
【図５】
0005917959.tif 000006
【図６】
0005917959.tif 000007
【図７】
0005917959.tif 000008
【図８】
0005917959.tif 000009